(57)【要約】  プラズマディスプレイパネルに充電していた電荷を有効利用して消費電力を低減することができ、さらに、無効電力の低減によって高輝度化を実現することができるプラズマディスプレイ装置である。このプラズマディスプレイ装置は、前面基板にＸ電極、Ｙ電極およびＺ電極を配置し、背面基板にアドレス電極を配置したプラズマディスプレイパネルと、Ｚ電極とＸ電極もしくはＹ電極との間にＺパルスを印加し、Ｘ電極とＹ電極との間にＸ（Ｙ）パルスを印加することにより放電発光を行うためのＸ駆動回路、Ｙ駆動回路およびＺ駆動回路や、アドレス駆動回路を有する。Ｚ駆動回路は、プラズマディスプレイパネルの容量とのＬＣ共振動作を利用するコイルとスイッチからなり、ＺパルスをＺ駆動回路により生成することで、狭いパルス幅のＺパルスを生成することができるようになっている。【特許請求の範囲】
【請求項１】
前面基板に第１の電極と第２の電極とを互いに平行に配置し、放電空間を挟んだ背面基板に第３の電極を直交に配置し、前記前面基板の前記第１の電極と前記第２の電極とのスリット間の位置に第４の電極を前記第１の電極と前記第２の電極と平行に配置したプラズマディスプレイパネルと、
前記第４の電極と前記第１の電極もしくは前記第２の電極との間に第１のパルスを印加し、前記第１の電極と前記第２の電極との間に第２のパルスを印加することにより放電発光を行うための複数の駆動回路とを有し、
前記複数の駆動回路のうちの第１の駆動回路は、前記プラズマディスプレイパネルの容量とのＬＣ共振動作を利用するコイルとスイッチからなり、
前記第１のパルスは、前記第１の駆動回路により生成することを特徴とするプラズマディスプレイ装置。
【請求項２】
請求項１記載のプラズマディスプレイ装置において、
前記第１のパルスのパルス幅は、前記第２のパルスで開始する放電発光が終了するより前に終わる幅であることを特徴とするプラズマディスプレイ装置。
【請求項３】
請求項１記載のプラズマディスプレイ装置において、
前記第１のパルスのＬＣ共振動作における前記プラズマディスプレイパネルの容量の電荷の充電および放電を１回のスイッチ動作で行うことを特徴とするプラズマディスプレイ装置。
【請求項４】
請求項１記載のプラズマディスプレイ装置において、
前記第１のパルスのＬＣ共振動作における前記プラズマディスプレイパネルの容量の電荷の充電および放電のためのスイッチ切り替え時間を１００ｎｓ以下とすることを特徴とするプラズマディスプレイ装置。
【請求項５】
請求項1記載のプラズマディスプレイ装置において、
前記第１の駆動回路は、前記第１のパルスの立ち上がりの振幅を大きくするために正のオフセット電圧を印加する電源回路を持つことを特徴とするプラズマディスプレイ装置。
【請求項６】
請求項1記載のプラズマディスプレイ装置において、
前記第１の駆動回路は、前記第１のパルスの立ち下がりの振幅を大きくするために負のオフセット電圧を印加する電源回路を持つことを特徴とするプラズマディスプレイ装置。
【請求項７】
請求項１記載のプラズマディスプレイ装置において、
前記第１のパルスは、正極性であることを特徴とするプラズマディスプレイ装置。
【請求項８】
請求項１記載のプラズマディスプレイ装置において、
前記第１のパルスは、負極性であることを特徴とするプラズマディスプレイ装置。
【請求項９】
請求項１記載のプラズマディスプレイ装置において、
前記第２のパルスで放電発光をさせない第１の電極と第２の電極との間の第４の電極は、前記第２のパルスの中間電位とすることを特徴とするプラズマディスプレイ装置。
【請求項１０】
請求項１記載のプラズマディスプレイ装置において、
前記プラズマディスプレイ装置は、ＡＬＩＳ方式であることを特徴とするプラズマディスプレイ装置。
【発明の詳細な説明】
【技術分野】
【０００１】
本発明は、プラズマディスプレイ装置に関し、特に、前面基板のＸ電極とＹ電極のスリット間の位置にＺ電極を配置したプラズマディスプレイパネルのＺ駆動回路に適用して有効な技術に関する。
【背景技術】
【０００２】
たとえば、プラズマディスプレイ装置は、前面基板にＸ電極とＹ電極を互いに平行に配置し、放電空間を挟んだ背面基板にアドレス電極を直交に配置し、前面基板のＸ電極とＹ電極のスリット間の位置にＺ電極をＸ電極とＹ電極と平行に配置したプラズマディスプレイパネルを有し、このプラズマディスプレイパネルはＸ駆動回路、Ｙ駆動回路、アドレス駆動回路、Ｚ駆動回路によって制御されている（たとえば、特許文献１参照）。特に、Ｚ駆動回路からＺ電極に印加するトリガパルスは、放電に対して高速性が必要であるために、狭いパルス幅の矩形波を印加している。
【特許文献１】特開２００２−１１００４７号公報
【発明の開示】
【発明が解決しようとする課題】
【０００３】
ところで、前記のようなプラズマディスプレイ装置においては、たとえば図１７（各駆動回路のタイミングチャートの一例を示す図）に示すような各駆動パルスが印加されている。特に、Ｚ駆動回路は、図１７に示すように、狭いパルス幅の矩形波をプラズマディスプレイパネルに印加するために、パネルの容量、印加電圧、周波数に応じた損失が発生し、このため、発光に直接寄与しない消費電力(無効電力）の増大、無効電力増加により、発光に必要な電力が十分確保できなくなるための輝度低下、回路規模の増大によるコストアップなどの課題が生じる。【０００４】
そこで、本発明の目的は、前記のような課題を解決し、プラズマディスプレイパネルに充電していた電荷を有効利用して消費電力を低減することができ、さらに、無効電力の低減によって高輝度化を実現することができるプラズマディスプレイ装置を提供することにある。【０００５】
本発明の前記ならびにその他の目的と新規な特徴は、本明細書の記述および添付図面から明らかになるであろう。
【課題を解決するための手段】
【０００６】
本願において開示される発明のうち、代表的なものの概要を簡単に説明すれば、次のとおりである。【０００７】
本発明は、プラズマディスプレイパネルの容量を利用したＬＣ共振駆動回路を用いて、第４の電極（Ｚ電極）にトリガパルスを印加することにより、省電力化を実現するものである。このトリガパルスは、高速性を実現するため、トリガ放電の発生後、主放電が終了する前に終わるように、ＬＣ共振時間を設定するようにしたものである。【０００８】
すなわち、本発明は、前面基板に第１の電極と第２の電極とを互いに平行に配置し、放電空間を挟んだ背面基板に第３の電極を直交に配置し、前面基板の第１の電極と第２の電極とのスリット間の位置に第４の電極を第１の電極と第２の電極と平行に配置したプラズマディスプレイパネルと、第４の電極と第１の電極もしくは第２の電極との間に第１のパルスを印加し、第１の電極と第２の電極との間に第２のパルスを印加することにより放電発光を行うための複数の駆動回路とを有するプラズマディスプレイ装置に適用され、以下のような特徴を有するものである。【０００９】
（１）複数の駆動回路のうちの第１の駆動回路（Ｚ駆動回路）は、プラズマディスプレイパネルの容量とのＬＣ共振動作を利用するコイルとスイッチからなる。そして、第１のパルスは、第１の駆動回路により生成する。【００１０】
（２）第１のパルスのパルス幅は、第２のパルスで開始する放電発光が終了するより前に終わる幅である。【００１１】
（３）第１のパルスのＬＣ共振動作におけるプラズマディスプレイパネルの容量の電荷の充電および放電を１回のスイッチ動作で行う。【００１２】
（４）第１のパルスのＬＣ共振動作におけるプラズマディスプレイパネルの容量の電荷の充電および放電のためのスイッチ切り替え時間を１００ｎｓ以下とする。【００１３】
（５）第１の駆動回路は、第１のパルスの立ち上がりの振幅を大きくするために正のオフセット電圧を印加する電源回路を持つ。【００１４】
（６）第１の駆動回路は、第１のパルスの立ち下がりの振幅を大きくするために負のオフセット電圧を印加する電源回路を持つ。【００１５】
（７）第１のパルスは、正極性である。【００１６】
（８）第１のパルスは、負極性である。【００１７】
（９）第２のパルスで放電発光をさせない第１の電極と第２の電極との間の第４の電極は、第２のパルスの中間電位とする。【００１８】
（１０）プラズマディスプレイ装置は、ＡＬＩＳ方式である。
【発明の効果】
【００１９】
本願において開示される発明のうち、代表的なものによって得られる効果を簡単に説明すれば、次のとおりである。【００２０】
本発明によれば、プラズマディスプレイパネルの容量を利用したＬＣ共振駆動回路を用いて、プラズマディスプレイパネルに充電していた電荷を有効利用することにより、消費電力の低減化が可能となる。【００２１】
さらに、本発明によれば、無効電力の低減により、発光に必要な電力を十分に確保できるため、高輝度化が可能となる。
【図面の簡単な説明】
【００２２】
【図１】本発明の一実施の形態であるプラズマディスプレイ装置の構成の一例を示す図である。
【図２】本発明の一実施の形態であるプラズマディスプレイ装置において、プラズマディスプレイパネルの構造の一例を示す分解斜視図である。
【図３】本発明の一実施の形態であるプラズマディスプレイ装置において、前面基板の電極構造の一例を示す図である。
【図４】本発明の一実施の形態であるプラズマディスプレイ装置において、画像の１フレームの構成の一例を示す図である。
【図５】本発明の一実施の形態であるプラズマディスプレイ装置において、プラズマディスプレイパネルの断面（ｂ）と各電極の電圧波形および放電発光の概略（ａ）の一例を示す図である。
【図６】本発明の一実施の形態であるプラズマディスプレイ装置において、ＡＬＩＳ構造の４電極のプラズマディスプレイパネルの平面構成（ａ）と断面（ｂ）の一例を図である。
【図７】本発明の一実施の形態であるプラズマディスプレイ装置において、第１のＺ駆動回路の回路構成（ａ）（ｂ）の一例を示す図である。
【図８】本発明の一実施の形態であるプラズマディスプレイ装置において、第１のＺ駆動回路のタイミングチャート（正極性）の一例を示す図である。
【図９】本発明の一実施の形態であるプラズマディスプレイ装置において、第１のＺ駆動回路のタイミングチャート（負極性）の一例を示す図である。
【図１０】本発明の一実施の形態であるプラズマディスプレイ装置において、第２のＺ駆動回路の回路構成（ａ）（ｂ）の一例を示す図である。
【図１１】本発明の一実施の形態であるプラズマディスプレイ装置において、第２のＺ駆動回路のタイミングチャート（正極性）の一例を示す図である。
【図１２】本発明の一実施の形態であるプラズマディスプレイ装置において、第３のＺ駆動回路の回路構成（ａ）（ｂ）の一例を示す図である。
【図１３】本発明の一実施の形態であるプラズマディスプレイ装置において、第３のＺ駆動回路のタイミングチャート（負極性）の一例を示す図である。
【図１４】本発明の一実施の形態であるプラズマディスプレイ装置において、第４のＺ駆動回路の回路構成（ａ）（ｂ）の一例を示す図である。
【図１５】本発明の一実施の形態であるプラズマディスプレイ装置において、第４のＺ駆動回路のタイミングチャート（正極性）の一例を示す図である。
【図１６】本発明の一実施の形態であるプラズマディスプレイ装置において、第４のＺ駆動回路のタイミングチャート（負極性）の一例を示す図である。
【図１７】本発明に対する従来のプラズマディスプレイ装置において、各駆動回路のタイミングチャートの一例を示す図である。
【発明を実施するための最良の形態】
【００２３】
以下、本発明の実施の形態を図面に基づいて詳細に説明する。なお、実施の形態を説明するための全図において、同一の部材には原則として同一の符号を付し、その繰り返しの説明は省略する。【００２４】
まず、図１により、本発明の一実施の形態であるプラズマディスプレイ装置の構成の一例を説明する。図１は、プラズマディスプレイ装置の構成の一例を示す図である。【００２５】
本実施の形態であるプラズマディスプレイ装置は、４電極のプラズマディスプレイ装置の例に適用され、プラズマディスプレイパネル１６、Ｘ駆動回路１７、Ｙ駆動回路１８、アドレス駆動回路１９、制御回路２０、Ｚ駆動回路２１などから構成される。【００２６】
制御回路２０は、Ｘ駆動回路１７、Ｙ駆動回路１８、Ｚ駆動回路２１およびアドレス駆動回路１９を制御する。Ｘ駆動回路１７は、複数のＸ電極Ｘ（Ｘ１，Ｘ２，・・・）に所定の電圧を供給する。Ｙ駆動回路１８は、複数のＹ電極Ｙ（Ｙ１，Ｙ２，・・・）に所定の電圧を供給する。Ｚ駆動回路２１は、複数のＺ電極Ｚ（奇数番目のＺ電極Ｚｏおよび偶数番目のＺ電極Ｚｅ）に所定の電圧を供給する。アドレス駆動回路１９は、複数のＡ電極Ａ（Ａ１，Ａ２，・・・）に所定の電圧を供給する。この４電極構造は、アドレス電極Ａ、Ｘ電極Ｘ、Ｙ電極ＹおよびＺ電極Ｚを有する。Ｚ電極Ｚは、Ｘ電極ＸおよびＹ電極Ｙの間に設けられる。【００２７】
プラズマディスプレイパネル１６は、Ｘ電極Ｘ、Ｚ電極ＺおよびＹ電極Ｙが水平方向に並列に行を形成し、アドレス電極Ａが垂直方向に列を形成する。アドレス電極Ａは、Ｘ電極Ｘ、Ｚ電極ＺおよびＹ電極Ｙと交差するように設けられる。Ｘ電極Ｘ、Ｚ電極ＺおよびＹ電極Ｙは、垂直方向に交互に配置される。Ｙ電極Ｙｉ及びアドレス電極Ａｊは、ｉ行ｊ列の２次元行列を形成する。表示セルＣ１１は、Ｙ電極Ｙ１およびアドレス電極Ａ１の交点と、それに隣接するＺ電極ＺｏおよびＸ電極Ｘ１により形成される。この表示セルＣ１１が画素に対応する。この２次元行列により、プラズマディスプレイパネル１６は２次元画像を表示することができる。Ｚ電極Ｚｏは、たとえばＸ電極Ｘ１およびＹ電極Ｙ１の間の放電を補助するための電極であり、Ｚ電極Ｚｅは、たとえばＹ電極Ｙ１およびＸ電極Ｘ２の間の放電を補助するための電極である。【００２８】
次に、図２により、本実施の形態であるプラズマディスプレイ装置において、プラズマディスプレイパネルの構造の一例を説明する。図２は、プラズマディスプレイパネルの構造の一例を示す分解斜視図である。【００２９】
図２において、Ｘ電極３は、図１のＸ電極Ｘに対応する。Ｙ電極４は、図１のＹ電極Ｙに対応する。Ｚ電極２は、図１のＺ電極Ｚに対応する。アドレス電極５は、図１のアドレス電極Ａに対応する。【００３０】
Ｘ電極３、Ｙ電極４およＺ電極２は、ガラスからなる前面基板１０上に形成されている。その上には、放電空間に対して絶縁するための第１の誘電体層８が形成されている。さらにその上には、ＭｇＯ（酸化マグネシウム）の保護層９が形成されている。【００３１】
一方、アドレス電極５は、前面基板１０と対向して配置された、ガラスからなる背面基板１１上に形成される。その上には、第２の誘電体層１２が形成される。さらにその上には、蛍光体１３〜１５が形成されている。隔壁（リブ）６および７の内面には、赤、緑、青色の蛍光体１３〜１５がストライプ状に各色毎に配列、形成されている。Ｘ電極３およびＹ電極４の間の維持放電によって蛍光体１３〜１５を励起して各色が発光する。前面基板１０および背面基板１１との間の放電空間には、Ｎｅ（ネオン）＋Ｘｅ（キセノン）ペニングガスなどが封入されている。【００３２】
次に、図３により、プラズマディスプレイパネルの前面基板の電極構造の一例を説明する。図３は、前面基板の電極構造の一例を示す図である。【００３３】
Ｘ電極３は、金属電極（バス電極）３ａおよび透明電極（ＳＵＳ電極）３ｂからなる。Ｙ電極４は、金属電極４ａおよび透明電極４ｂからなる。Ｚ電極２は、金属電極２ａおよび透明電極２ｂからなる。なお、Ｚ電極２は、透明電極２ｂのみ、もしくは金属電極２ａのみの構成でもよい。【００３４】
次に、図４により、プラズマディスプレイパネルにおける画像の１フレームの構成の一例を説明する。図４は、画像の１フレームの構成の一例を示す図である。【００３５】
画像の１フレームＦＤは、第１のサブフレームＳＦ１、第２のサブフレームＳＦ２、・・・、第ｎのサブフレームＳＦｎにより形成される。このｎは、たとえば１０であり、階調ビット数に相当する。【００３６】
各サブフレームＳＦは、リセット期間Ｔｒ、アドレス期間Ｔａおよびサステイン（維持放電）期間Ｔｓにより構成される。リセット期間Ｔｒでは、表示セルの初期化を行う。アドレス期間Ｔａでは、アドレス電極ＡおよびＹ電極Ｙ間のアドレス放電により、サステイン期間Ｔｓでの各セルの発光または非発光を選択することができる。具体的には、Ｙ電極Ｙ１，Ｙ２，Ｙ３・・・などに順次スキャンパルスを印加し、そのスキャンパルスに対応してアドレス電極Ａにアドレスパルスを印加または非印加することにより、所望の表示セルの発光または非発光を選択することができる。サステイン期間Ｔｓでは、Ｚ電極Ｚを用いて選択された表示セルのＸ電極ＸおよびＹ電極Ｙ間で、サステイン放電を行い、発光を行う。各サブフレームＳＦでは、Ｘ電極ＸおよびＹ電極Ｙ間のサステインパルスによる発光回数が異なり、階調値を決めることができる。【００３７】
次に、図５により、プラズマディスプレイパネルの断面と各電極の電圧波形および放電発光の概略の一例を説明する。図５は、プラズマディスプレイパネルの断面（ｂ）と各電極の電圧波形および放電発光の概略（ａ）の一例を示す図である。【００３８】
図５（ｂ）に示すように、前面基板１０にはＸ電極Ｘ、Ｙ電極ＹおよびＺ電極Ｚが設けられ、また背面基板１１にはアドレス電極Ａが設けられ、それぞれに各パルスの電圧波形が印加される。図５（ａ）に示す各電極の電圧波形は、アドレス期間において、表示選択されたセルのサステイン期間Ｔｓでの放電動作の例を示している。Ｚ電極ＺとＹ電極Ｙとの間（あるいはＺ電極ＺとＸ電極Ｘとの間）に放電開始電圧以上の第１のパルス（Ｚパルス）を印加してトリガ放電を行う。このトリガ放電を起点とし、Ｘ電極ＸとＹ電極Ｙと間への第２のパルス（ＸパルスまたはＹパルス）の印加による主となるサステイン放電を行うことができる。【００３９】
次に、図６により、ＡＬＩＳ（Ａｌｔｅｒｎａｔｅ  Ｌｉｇｈｔｉｎｇ  ｏｆ  Ｓｕｒｆａｃｅｓ）構造の４電極のプラズマディスプレイパネルの構成と断面の一例を説明する。図６は、ＡＬＩＳ構造の４電極のプラズマディスプレイパネルの平面構成（ａ）と断面（ｂ）の一例を図である。【００４０】
図６において、Ｘ電極Ｘ１は、図１の奇数番目のＸ電極（Ｘ１，Ｘ３，・・・）を示し、Ｘ電極Ｘ２は、図１の偶数番目のＸ電極（Ｘ２，Ｘ４，・・・）を示す。Ｙ電極Ｙ１は、図１の奇数番目のＹ電極（Ｙ１，Ｙ３，・・・）を示し、Ｙ電極Ｙ２は、図１の偶数番目のＹ電極（Ｙ２，Ｙ４，・・・）を示す。前面基板１０には、Ｘ電極Ｘ１，Ｘ２、Ｙ電極Ｙ１，Ｙ２およびＺ電極Ｚｏ，Ｚｅなどが設けられる。背面基板１１には、アドレス電極Ａなどが設けられる。【００４１】
ＡＬＩＳ駆動では、奇数フレームおよび偶数フレームが交互に表示される。奇数フレームおよび偶数フレームは、発光する表示セルの位置が変わり、表示に用いられる電極の組み合わせが変わる。【００４２】
具体的には、奇数フレームにおいては、Ｘ電極Ｘ１とＺ電極ＺｏとＹ電極Ｙ１が表示電極の１つの組になり、Ｘ電極Ｘ２とＺ電極ＺｏとＹ電極Ｙ２がもう１つの組になる。このとき、Ｚ電極Ｚｅは表示電極には用いず、表示セル間の干渉を抑制するためのバリア電極として用いられる。Ｚ電極Ｚｅをバリア電極として用いる場合は、Ｚ電極Ｚｅを、たとえばグランドに固定しておく。【００４３】
そして、偶数フレームにおいては、Ｙ電極Ｙ１とＺ電極ＺｅとＸ電極Ｘ２が表示電極の１つの組になり、Ｙ電極Ｙ２とＺ電極ＺｅとＸ電極Ｘ１がもう１つの組になる。この場合は、Ｚ電極Ｚｏがバリア電極となる。【００４４】
次に、図７〜図１６により、第１〜第４のＺ駆動回路の回路構成およびタイミングチャートの一例を説明する。なお、Ｘ駆動回路、Ｙ駆動回路、アドレス駆動回路は、従来と同様の回路構成およびタイミングチャートであり、動作波形（Ｘパルス、Ｙパルス、Ａパルス）は各図に示すとおりである。【００４５】
図７（ａ）に示すＺ駆動回路２１ａは、コイルＬ１、スイッチＳＷ１〜ＳＷ４、ダイオードＤ１〜Ｄ４、電源ＶＺ１（０Ｖ〜＋ＶＳ／２），ＶＺ２（−ＶＳ／２〜０Ｖ），ＶＳ／２，−ＶＳ／２などから構成される。【００４６】
スイッチＳＷ１〜ＳＷ４は、それぞれＭＯＳＦＥＴ素子からなり、ソース−ドレイン間にダイオードが接続されている。スイッチＳＷ１のドレインとスイッチＳＷ２のソースとの間には、中間電位を接地した直列接続の電源ＶＺ１と電源ＶＺ２が接続されている。スイッチＳＷ１のソースは、順方向接続のダイオードＤ１を介してコイルＬ１の一端に接続されている。コイルＬ１の一端は、順方向接続のダイオードＤ２を介してスイッチＳＷ２のドレインに接続されている。【００４７】
スイッチＳＷ３のドレインは、電源ＶＳ／２に接続されている。スイッチＳＷ４のソースは、電源−ＶＳ／２に接続されている。スイッチＳＷ３のソースとスイッチＳＷ４のドレインとは、コイルＬ１の他端に共通に接続され、この共通接続点がＺパルスの出力端子となっている。ダイオードＤ３は、電源ＶＳ／２からコイルＬ１の一端に逆方向で接続されている。ダイオードＤ４は、コイルＬ１の一端から電源−ＶＳ／２に逆方向で接続されている。【００４８】
特に、このＺ駆動回路２１ａは、従来はスイッチＳＷ３，ＳＷ４のみから構成されるものであったが、本実施の形態においてはプラズマディスプレイパネル１６の容量とのＬＣ共振動作を利用するコイルＬ１とスイッチＳＷ１〜ＳＷ４からなり、Ｚパルスを生成してプラズマディスプレイパネル１６に印加する。スイッチＳＷ１，ＳＷ２は、Ｚ電力回収用スイッチとして、ＭＯＳＦＥＴ素子を並列に配置している。コイルＬ１は、共振用コイルとして、プラズマディスプレイパネル１６の容量に対する電荷の充電および放電の経路が共通な１系列で配置している。【００４９】
図７（ｂ）に示すＺ駆動回路２１ｂは、図７（ａ）と同様に、プラズマディスプレイパネル１６の容量とのＬＣ共振動作を利用するコイルＬ１とスイッチＳＷ１〜ＳＷ４からなり、図７（ａ）と異なる点は、電源ＶＺ１（ＶＳ／２〜＋ＶＳ）と電源ＶＺ２（０Ｖ〜ＶＳ／２）との接続部とＧＮＤ間に省電力回路用のコンデンサＣ１が接続され、また、スイッチＳＷ３，ＳＷ４が電源ＶＳ，ＧＮＤにそれぞれ接続されている点である。【００５０】
この図７に示すＺ駆動回路２１ａ，２１ｂにおいては、図８に示すように、ＶＺ１≒０Ｖ、ＶＺ２≒０Ｖの条件では、Ｘ（Ｙ）パルスを上昇させるのに先立って、まず、スイッチＳＷ１をＯｎし、Ｚパルスの電圧を上昇させる。続いて、スイッチＳＷ２をＯｎし（この時にＳＷ１はＯｆｆ）、最大値近傍まで到達したＺパルスを下降させる。この後に、  Ｘ（Ｙ）パルスを、最大値まで上昇させる。そして、スイッチＳＷ４をＯＮし、Ｚパルスを元の電圧まで下降させる。これにより、狭いパルス幅のＺパルス（正極性）を生成することができる。【００５１】
この狭いパルス幅のＺパルスは、高速性を実現するため、そのパルス幅が、Ｘ（Ｙ）パルスで開始する放電発光が終了するより前に終わる幅に設定されている。たとえば一例として、１００ｎｓ〜１０００ｎｓ程度のパルス幅となっている。このＺパルスの立ち上がりでパネル容量への充電が行われ、また、立ち下がりでパネル容量からの放電が行われる。このパネル容量の電荷の充電および放電のためのスイッチＳＷ１とスイッチＳＷ２との切り替え時間は１００ｎｓ以下となっている。【００５２】
なお、スイッチＳＷ１とＳＷ２のＯｎ／Ｏｆｆは、破線で示すように、スイッチＳＷ２をＯｎした後にＳＷ１をＯｆｆにしてもよい。また、スイッチＳＷ１，ＳＷ２，ＳＷ４のＯｎのタイミングは、Ｘ（Ｙ）パルスの立ち上がりタイミングの前に限らず、同時でも後でも良い。【００５３】
また、ＶＺ１＞０Ｖ、ＶＺ２≒０Ｖの条件では最大値の電圧がＶＳ／２（図７（ａ））、ＶＳ（図７（ｂ））に到達し、ＶＺ１≒０Ｖ、ＶＺ２＜０Ｖの条件では元の電圧まで下降させる引きが大きくなり、ＶＺ１＞０Ｖ、ＶＺ２＜０Ｖの条件ではこれらの両方が可能となっている。【００５４】
また、スイッチＳＷ１とスイッチＳＷ２の共通制御の場合には、スイッチＳＷ１，ＳＷ２をＯｎし、この立ち上がりタイミングでＺパルスの電圧を上昇させ、スイッチＳＷ１，ＳＷ２をＯｆｆし、この立ち下がりタイミングで元の電圧まで下降させることができる。この場合には、ＺパルスのＬＣ共振動作におけるパネル容量の電荷の充電および放電を１回のスイッチ動作で行うことができる。【００５５】
また、Ｚパルスについては、ＡＬＩＳ駆動では奇数フレームおよび偶数フレームが交互に表示されるためにＺ電極Ｚｏ，Ｚｅが設けられるので、たとえばＸ（Ｙ）パルスで放電発光させるＸ電極とＹ電極との間のＺ電極Ｚｏに図８のような実線のパルスを印加した場合には、放電発光させないＸ電極とＹ電極との間のＺ電極Ｚｅには図８に一点鎖線で示す中間電位（図７（ａ）のＺ駆動回路２１ａではＧＮＤ、図７（ｂ）のＺ駆動回路２１ｂではＶＳ／２）を印加する。【００５６】
この図８の場合には、Ｚパルスがプラス側に凸の正極性のパルスであるが、逆に、図９に示すように、マイナス側に凸の負極性のパルスとすることも可能である。この場合には、たとえば、ＶＺ１≒０Ｖ、ＶＺ２≒０Ｖの条件では、Ｘ（Ｙ）パルスを下降させるのに先立って、まず、スイッチＳＷ２をＯｎし、Ｚパルスの電圧を下降させる。続いて、スイッチＳＷ１をＯｎし（この時にＳＷ２はＯｆｆでもＯｎでも可能）、最小値近傍まで到達したＺパルスを上昇させる。この後に、  Ｘ（Ｙ）パルスを、最小値まで下降させる。そして、スイッチＳＷ３をＯＮし、この立ち上がりタイミングでＺパルスを元の電圧まで上昇させる。これにより、狭いパルス幅のＺパルス（負極性）を生成することができる。また、ＳＷ１，ＳＷ２，ＳＷ３のＯｎのタイミングは、Ｘ（Ｙ）パルスの立ち下がりタイミングの前に限らず、同時でも後でも良い。【００５７】
また、ＶＺ１≒０Ｖ、ＶＺ２＜０Ｖの条件では最小値の電圧が−ＶＳ／２（図７（ａ））、ＧＮＤ（図７（ｂ））に到達し、ＶＺ１＞０Ｖ、ＶＺ２≒０Ｖの条件では元の電圧まで上昇させる引きが大きくなり、ＶＺ１＞０Ｖ、ＶＺ２＜０Ｖの条件ではこれらの両方が可能となっている。また、スイッチＳＷ１とスイッチＳＷ２の共通制御を行うことも可能である。【００５８】
図１０（ａ）（ｂ）に示すＺ駆動回路２１ｃ，２１ｄは、前記図７（ａ）（ｂ）の回路構成に対して、以下の点が異なる。スイッチＳＷ１，ＳＷ２は、Ｚ電力回収用スイッチとして、ＭＯＳＦＥＴ素子を直列に配置している。さらに、スイッチＳＷ１，ＳＷ２が接続される電源ＶＺ１（０Ｖ〜＋ＶＳ／２）は、Ｚパルス電圧のオフセット用として、立ち上がりの振幅を大きくするために正のオフセット電圧を印加するプラス電源の電源回路を使用している。この図１０のＺ駆動回路２１ｃ，２１ｄは、ＭＯＳＦＥＴ素子の直列化により、前記図７の並列構成におけるダイオードＤ１，Ｄ２が不要となるので、使用部品数が少なくなり、コストの低減につながる。但し、Ｚパルス電圧のオフセット用電源がプラスの一方になり、Ｚ電圧パルスの波高値が限定される。【００５９】
この図１０に示すＺ駆動回路２１ｃ，２１ｄにおいては、図１１に示すように、ＶＺ１≒０Ｖの条件では前記図８のＶＺ１≒０Ｖ、ＶＺ２≒０Ｖの条件と同じであり、また、ＶＺ１＞０Ｖの条件では前記図８のＶＺ１＞０Ｖ、ＶＺ２≒０Ｖの条件と同じであり、同様に、狭いパルス幅のＺパルス（正極性）を生成することができる。なお、図１０に示すＺ駆動回路２１ｃ，２１ｄにおいても、前記図９に示すようなタイミングも可能であり、この場合には、狭いパルス幅のＺパルス（負極性）を生成することができる。【００６０】
図１２（ａ）（ｂ）に示すＺ駆動回路２１ｅ，２１ｆは、前記図１０（ａ）（ｂ）の回路構成に対して、以下の点が異なる。スイッチＳＷ１，ＳＷ２が接続される電源ＶＺ２（−ＶＳ／２〜０Ｖ）は、Ｚパルス電圧のオフセット用として、立ち下がりの振幅を大きくするために負のオフセット電圧を印加するマイナス電源の電源回路を使用しており、よって、Ｚパルス電圧のオフセット用電源がマイナスの一方になり、Ｚ電圧パルスの波高値が限定される。【００６１】
この図１２に示すＺ駆動回路２１ｅ，２１ｆにおいては、図１３に示すように、マイナス側に凸の負極性のパルスとすることで、狭いパルス幅のＺパルス（負極性）を生成することができる。すなわち、この図１３の波形は、ＶＺ２≒０Ｖの条件では前記図９のＶＺ１≒０Ｖ、ＶＺ２≒０Ｖの条件と同じであり、また、ＶＺ２＞０Ｖの条件では前記図９のＶＺ１≒０Ｖ、ＶＺ２＜０Ｖの条件と同じである。なお、図１２に示すＺ駆動回路２１ｅ，２１ｆにおいても、前記図８に示すようなタイミングも可能であり、この場合には、狭いパルス幅のＺパルス（正極性）を生成することができる。【００６２】
図１４（ａ）（ｂ）に示すＺ駆動回路２１ｇ，２１ｈは、前記図７（ａ）（ｂ）の回路構成に対して、以下の点が異なる。コイルＬ１，Ｌ２は、共振用コイルとして、プラズマディスプレイパネル１６の容量に対する電荷の充電および放電の経路が別々な２系列で配置している。これに伴い、各コイルＬ１，Ｌ２と各電源ＶＳ／２，−ＶＳ／２との間にダイオードＤ３〜Ｄ６が接続されている。この図１４のＺ駆動回路２１ｇ，２１ｈは、共振コイルの２系統により、Ｚパルスの立ち上がり（パネル容量への充電）とＺパルスの立ち下がり（パネル容量からの放電）に用いるコイル値を変えることにより、それぞれＬＣ共振時間を調整でき、最適な駆動を行うことができる。但し、部品数が増加するため、コストの増加につながる。【００６３】
この図１４に示すＺ駆動回路２１ｇ，２１ｈにおいては、図１５に示すように、各条件で前記図８と同じであり、同様に、狭いパルス幅のＺパルス（正極性）を生成することができる。また、図１６に示すように、各条件で前記図９と同じであり、同様に、狭いパルス幅のＺパルス（負極性）を生成することができる。【００６４】
以上説明したように、本実施の形態によれば、前面基板１０にＸ電極３、Ｙ電極４およびＺ電極２を配置し、背面基板１１にアドレス電極５を配置したプラズマディスプレイパネル１６と、Ｚ電極２とＸ電極３もしくはＹ電極４との間にＺパルスを印加し、Ｘ電極３とＹ電極４との間にＸ（Ｙ）パルスを印加することにより放電発光を行うためのＸ駆動回路１７、Ｙ駆動回路１８およびＺ駆動回路２１（２１ａ〜２１ｈ）や、アドレス駆動回路１９を有し、Ｚ駆動回路２１はプラズマディスプレイパネル１６の容量とのＬＣ共振動作を利用するコイルＬ１，Ｌ２とスイッチＳＷ１〜ＳＷ４からなり、ＺパルスをＺ駆動回路２１により生成することで、狭いパルス幅のＺパルスを生成することができるので、以下のような効果を得ることができる。【００６５】
すなわち、プラズマディスプレイパネル１６の容量を利用したＬＣ共振駆動回路を用いて、プラズマディスプレイパネル１６に充電していた電荷を有効利用することにより、消費電力を低減することができる。さらに、無効電力の低減により、発光に必要な電力を十分に確保できるため、高輝度化を実現することができる。【００６６】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００６７】
本発明は、プラズマディスプレイ装置に関し、特に、前面基板のＸ電極とＹ電極のスリット間の位置にＺ電極を配置したプラズマディスプレイパネルのＺ駆動回路に適用して有効である。
【図１】
2007023526.tif 000002
【図２】
2007023526.tif 000003
【図３】
2007023526.tif 000004
【図４】
2007023526.tif 000005
【図５】
2007023526.tif 000006
【図６】
2007023526.tif 000007
【図７】
2007023526.tif 000008
【図８】
2007023526.tif 000009
【図９】
2007023526.tif 000010
【図１０】
2007023526.tif 000011
【図１１】
2007023526.tif 000012
【図１２】
2007023526.tif 000013
【図１３】
2007023526.tif 000014
【図１４】
2007023526.tif 000015
【図１５】
2007023526.tif 000016
【図１６】
2007023526.tif 000017
【図１７】
2007023526.tif 000018
【国際調査報告】
2007023526.tif 000019
2007023526.tif 000020
2007023526.tif 000021
2007023526.tif 000022